(57)【要約】【課題】奥二重での覆い被さった瞼を持ち上げながら支えることができ、更に、目尻、目頭など目の両端部分は、細い二重線（重瞼線）が形成して自然な印象を醸し出すことが可能な二重瞼形成用テープを提供すること。【解決手段】ポリエチレン１６等の細長の基材４の両面に粘着剤層５、６が設けられた両面粘着テープ３を備え、両面粘着テープ３は、少なくとも片面において、長手方向の中心に非延伸性の基材１６からなる非延伸層１５が粘着剤層６を介して固定され、使用時に両面粘着テープ３を長手方向に引っ張って非延伸層１５の両脇に塑性変形部１０を形成し、延伸した両面粘着テープ３を奥二重のひだに沿って当該ひだの内部に入り込ませて貼付するようにする。【選択図】図１
2017209461.tif 000002
【特許請求の範囲】
【請求項１】
細長の基材の両面に粘着剤層が設けられた両面粘着テープを長手方向に引っ張ることにより延伸させて塑性変形部を形成し、延伸した前記両面粘着テープを奥二重のひだに沿って当該ひだの内部に入り込ませて貼付することにより覆い被さった瞼を持ち上げて使用する奥二重に用いる二重瞼形成用テープであって、
前記両面粘着テープは、少なくとも片面において、長手方向の中心に非延伸性の基材からなる非延伸層が前記粘着剤層を介して固定され、
前記塑性変形部は前記非延伸層の両脇に形成されることを特徴とする二重瞼形成用テープ。
【請求項２】
前記非延伸層は、前記両面粘着テープ側と反対の表面にも粘着剤層を備えることを特徴とする請求項１に記載の二重瞼形成用テープ。
【請求項３】
前記両面粘着テープは、長手方向の両端部に非粘着性の把持部層が前記粘着剤層を介して固定されていることを特徴とする請求項１又は請求項２に記載の二重瞼形成用テープ。
【請求項４】
前記両面粘着テープは、前記粘着剤層を介して剥離可能な状態で密着する粘着面保護シート上に複数載置され、
各々の前記両面粘着テープは、当該粘着面保護シート側と反対の表面が、前記粘着剤層を剥離可能な状態で覆う粘着面保護基材を備えることを特徴とする請求項３に記載の二重瞼形成用テープ。
【請求項５】
前記両面粘着テープは、前記粘着剤層を剥離可能な状態で覆う粘着面保護基材とをさらに備え、使用時に当該粘着面保護基材を介して長手方向に引っ張ることにより当該粘着面保護基材を分断して前記両面粘着テープを延伸させて使用することを特徴とする請求項１又は請求項２に記載の二重瞼形成用テープ。
【請求項６】
前記両面粘着テープを前記奥二重に貼付する際には、眼球に近い皮膚側に、前記両面粘着テープ側が位置するようにして貼付して、前記奥二重の上瞼を前記非延伸層で支えるようにし、当該非延伸層の反対側の面の前記両面粘着テープを前記奥二重の下瞼に貼り付けて使用することを特徴とする請求項１又は請求項２に記載の二重瞼形成用テープ。
【発明の詳細な説明】
【技術分野】
【０００１】
本発明は、二重瞼を形成する二重瞼形成用テープに関し、特に、二重線（重瞼線）に瞼が覆い被さった状態である奥二重に対して有効な二重瞼形成用テープに関する。
【背景技術】
【０００２】
従来より二重瞼を形成するための手段として、片面又は両面に接着剤を塗布したフィルムから成るテープを瞼に貼り付けて、二重瞼を形成する二重瞼形成用テープが知られている。
【０００３】
二重瞼形成用テープは、瞼への貼付時に目立たないように、例えば、テープの細さを０．４ｍｍから１．０ｍｍにして、その細さを利用して瞼にくい込ませることにより、自然な二重線（重瞼線）を形成することが可能である。
【０００４】
特許文献１には、二重瞼のひだを形成するための二重瞼形成用テープが開示されている。特許文献１に開示された二重瞼形成用テープは、延伸可能でその延伸後に弾性的な伸縮性を有する細いテープ状部材に粘着剤を塗着し、端部に指先で把持するための表面に粘着性のない把持部を設けることにより構成されている。
【０００５】
テープ状部材は、両端を把持して引っ張った状態で、瞼のひだを形成したい位置に押し当て、粘着剤によってテープ状部材をそこに貼り付けて、そのまま両端の把持部を離すことにより、延伸後、引っ張った状態にあるテープ状部材の塑性変形した部分が弾性的に縮む。このとき、それが瞼にくい込んだ状態になって、二重瞼のひだが形成される。
【０００６】
特許文献２には、瞼に貼付しても目立たず、適宜位置への貼付を行える二重瞼形成用着色テープ材が開示されている。特許文献２に開示された瞼整形用テープは、可撓性を有する基材の片面もしくは両面にそれぞれ粘着層が設けられた小片状テープからなり、その小片状テープは、その長手方向両端に設けられた非粘着性の摘み部と、摘み部の間がセパレータによって粘着層を被覆保護された主テープ部とを有している。小片状テープには、主テープ部の領域において基材に肌色系インクを塗付してなる着色塗膜層が形成されている。
【０００７】
特許文献３には、非延伸性ストリップ材からなる二重瞼形成品が開示されている。特許文献３に開示された二重瞼形成品は、非延伸性ストリップ材、その非延伸性ストリップ材の少なくとも片面に設けられた粘着剤層、及び、その粘着剤層上に設けられた保護層及び把持部層を有して成り、二重瞼形成品の両端側に把持部層が位置付けられる。一方、二重瞼形成品の両端側よりも内側に保護層が位置付けられており、保護層と把持部層とが非面一となっている
【０００８】
特許文献４には、粘着シートを簡単かつ精度良く貼り付けることのできるスティックを備えた二重まぶた形成具が開示されている。
【０００９】
また、特許文献５には、二重まぶたを容易に形成可能な二重まぶた形成シートが開示されている。
【００１０】
特許文献４及び特許文献５の二重まぶた形成シートは、粘着テープ、薄膜状であり、曲げ易い材質が使用される。さらに粘着テープは、まぶた表面に貼り付けた際に目立たないように、透明又は半透明あるいは人肌色の材質が用いられる。材質は、例えば樹脂系のポリエステル、ポリエチレン、ポリウレタン、ペット樹脂、ポリオレフィン、アセテートなどである。
【００１１】
また、特許文献４及び特許文献５の粘着テープは、外周縁及び内周縁を有する円弧状に設定されており、粘着テープ中央部における外周縁と内周縁との間の長さは、１．５ｍｍの帯状を形成している。
【００１２】
また、従来の二重瞼形成用テープは、特許文献４及び特許文献５に開示されているように、Ｖ字状部材で形成されたスティックを有する二重瞼形成具を用いて粘着シートを貼り付けていた。このため、二重瞼形成用テープを使用する際には、スティック、二重瞼形成用テープを瞼に押し込むためのプッシャー等の治具が必要であった。
【先行技術文献】
【特許文献】
【００１３】
【特許文献１】特許第３２７７１８０号公報
【特許文献２】特開２０１２−２２３２５０号公報
【特許文献３】特開２０１４−５４５１９号公報
【特許文献４】実登３１１９１６２号公報
【特許文献５】実登３１５４１３９号公報
【発明の概要】
【発明が解決しようとする課題】
【００１４】
特許文献１から特許文献３に開示された二重瞼形成用テープは、目立たないことを目的とした二重瞼形成テープで、概ね、瞼への貼付時にテープの細さが０．４ｍｍから１．０ｍｍである。これらのものは、その細さを利用して瞼にくい込ませ目立たない自然な二重線（重瞼線）を形成することが可能である。
【００１５】
二重瞼について、その形態として、奥二重が知られている。奥二重とは、本来ある二重線（重瞼線）に瞼が覆い被さった状態をいう。即ち、二重線が隠れていて、外部から見えにくくなっている状態である。奥二重での二重瞼形成用テープによる二重瞼を形成する際には、瞼にくい込ませるよりも、被さった瞼を持ち上げることが重要となる。尚、日本人の約２５％が奥二重と言われている。
【００１６】
特許文献１から特許文献３に開示された二重瞼形成用テープの幅は、０．４ｍｍから１．０ｍｍと細いため、被さった瞼を持ち上げることができないため、奥二重に対しては、不向きである。
【００１７】
一方、特許文献４、特許文献５の二重瞼形成用テープは、幅１．５ｍｍから２．０ｍｍ程度で硬い素材（ポリエステルやポリプロピレン）を使用したものである。しかしながら、特許文献４、特許文献５の部材は、硬い素材を使用しているため、まばたき等に伴う部材の柔軟な動きができない恐れがある。
【００１８】
即ち、二重瞼形成用テープを張り付ける上瞼は、1回のまばたきの平均時間が１００ｍ秒〜１５０ｍ秒とされており、それを1分間に大人で十数回行うため、かつ、瞼は人間の皮膚の中で最も薄い部位であることとも相まって、上瞼には非常に繊細な動きが求められる。この上瞼の動きを阻害してしまうような力が加わることを防止することが求められる。
【００１９】
また、両面粘着テープの基材にポリエステル等の硬い素材のみを使用した二重瞼形成用テープは、装着して使用中に、復元力により両端が浮いてきて、剥がれる恐れがある。
【００２０】
そこで本発明の二重瞼形成用テープは、奥二重での覆い被さった瞼を持ち上げながら支えることができ、更に、目尻、目頭など目の両端部分は、細い二重線（重瞼線）が形成することが可能な二重瞼形成用テープを提供することを目的とする。
【課題を解決するための手段】
【００２１】
上記目的達成のため、本発明の二重瞼形成用テープは、細長の基材の両面に粘着剤層が設けられた両面粘着テープを長手方向に引っ張ることにより延伸させて塑性変形部を形成し、延伸した前記両面粘着テープを奥二重のひだに沿って当該ひだの内部に入り込ませて貼付することにより覆い被さった瞼を持ち上げて使用する奥二重に用いる二重瞼形成用テープであって、前記両面粘着テープは、少なくとも片面において、長手方向の中心に非延伸性の基材からなる非延伸層が前記粘着剤層を介して固定され、前記塑性変形部は前記非延伸層の両脇に形成されることを特徴とする。
【００２２】
また、本発明に係る二重瞼形成用テープの前記非延伸層は、前記両面粘着テープ側と反対の表面にも粘着剤層を備えることを特徴とする。 
【００２３】
また、本発明に係る二重瞼形成用テープの前記両面粘着テープは、長手方向の両端部に非粘着性の把持部層が前記粘着剤層を介して固定されていることを特徴とする。 
【００２４】
また、本発明に係る二重瞼形成用テープの前記両面粘着テープは、前記粘着剤層を介して剥離可能な状態で密着する粘着面保護シート上に複数載置され、各々の前記両面粘着テープは、当該粘着面保護シート側と反対の表面が、前記粘着剤層を剥離可能な状態で覆う粘着面保護基材を備えることを特徴とする。 
【００２５】
また、本発明に係る二重瞼形成用テープの前記両面粘着テープは、前記粘着剤層を剥離可能な状態で覆う粘着面保護基材とをさらに備え、使用時に当該粘着面保護基材を介して長手方向に引っ張ることにより当該粘着面保護基材を分断して前記両面粘着テープを延伸させて使用することを特徴とする。 
【００２６】
本発明の二重瞼形成用テープは、前記両面粘着テープを前記奥二重に貼付する際には、眼球に近い皮膚側に、前記両面粘着テープ側が位置するようにして貼付して、前記奥二重の上瞼を前記非延伸層で支えるようにし、当該非延伸層の反対側の面の前記両面粘着テープを前記奥二重の下瞼に貼り付けて使用することを特徴とする。
【発明の効果】
【００２７】
本発明によれば、基材の両面に粘着剤層が設けられた両面粘着テープを備え、使用時に長手方向に引っ張って中央に両面粘着テープのみからなる塑性変形部を形成し、両面粘着テープは、長手方向の中心に非延伸性の基材からなる非延伸層が粘着剤層を介して固定され、延伸した両面粘着テープを奥二重のひだに沿って当該ひだの内部に入り込ませて貼付することにより、非延伸層によって奥二重での覆い被さった瞼を持ち上げながら支えることができる。
【００２８】
また、本発明の二重瞼形成用テープは、非延伸層の非延伸性の基材と瞼との間に、両面粘着テープの柔軟な基材を介在させる（貼り合わせる）ことにより、両面粘着テープの基材の復元作用を緩和することが可能となり、両面粘着テープに基材のみを使用した二重瞼形成用テープのように、使用中に両端が浮いてきて剥がれることがなく、長時間装着して使用することが可能である。
【００２９】
更に、非延伸層の両脇の塑性変形部を奥二重にくい込ませているため、塑性変形部による基材の両端の保持（固定）によって両面粘着テープに基材の両端が復元力によって使用中に浮いてきて剥がれることがより防止される。
【００３０】
また、本発明の二重瞼形成用テープは、細長の基材の両面に粘着剤層が設けられた両面粘着テープを長手方向に引っ張ることにより延伸させてさらに細い塑性変形部を形成し、延伸した両面粘着テープを奥二重のひだに沿って当該ひだの内部に入り込ませて貼付することにより、目尻、目頭など目の両端部分は、細い塑性変形部により細い二重線（重瞼線）が形成することが可能となり、目の両端部分の細い二重線により自然な印象を醸し出すことができる。
【００３１】
また、本発明の二重瞼形成用テープは、不快に感じるポリエステルの大きさを小さくすることが可能であるため、瞼の違和感を和らげることが可能である。さらに、柔軟な素材であるポリエチレンを左右に設けることにより、個々に相違する目の形状（瞼の形状）に合わせて、貼り方を変更し、自然で綺麗な二重瞼を形成することが可能である。
【００３２】
また、本発明の二重瞼形成用テープは、両面粘着テープの長手方向の両端部に非粘着性の把持部層が粘着剤層を介して固定されているため、把持部層によって粘着面保護シートから容易に取り外すことができ、更に、両面粘着テープを長手方向に引っ張って塑性変形部を確実に形成することができる。
【００３３】
また、本発明は、両面粘着テープを長手方向に引っ張ることにより延伸させて塑性変形部を形成し、延伸した両面粘着テープの非延伸層を奥二重のひだに沿って当該ひだの内部に入り込ませて貼付するため、スティックや、プッシャー等の治具等を必要としない。
【００３４】
また、本発明の二重瞼形成用テープは、粘着剤層を剥離可能な状態で覆う粘着面保護基材とをさらに備え、使用時に粘着面保護基材を介して長手方向に引っ張ることにより粘着面保護基材を分断することができるため、容易に使用することができる。
【図面の簡単な説明】
【００３５】
【図１】二重瞼形成用テープの構成を示す図であり、（ａ）は長手方向に沿って切断した断面図、（ｂ）は平面図、（ｃ）は、複数の二重瞼形成用テープを粘着面保護シートに貼着した図である。
【図２】（ａ）は、延伸前の二重瞼形成用テープの状態を示す平面図、（ｂ）は、延伸後の二重瞼形成用テープの状態を示す平面図である。
【図３】二重瞼形成用テープの使用方法を説明する図である。
【図４】延伸した二重瞼形成用テープを奥二重に装着した状態を説明する断面図である。
【図５】本発明の二重瞼形成用テープと従来の二重瞼形成用テープとの瞼の装着状態を比較を説明する図である。
【図６】両面粘着テープの粘着剤層を保護する粘着面保護基材としてのシリコーンゴムを使用した二重瞼形成用テープの構成を示す長手方向の断面図である。
【図７】粘着面保護基材としてシリコーンゴムを使用した二重瞼形成用テープの使用方法を説明する図である。
【発明を実施するための形態】
【００３６】
以下、図面を参照して、本発明による二重瞼形成用テープを実施するための形態について説明する。本発明に係る二重瞼形成用テープは、ポリエチレン等の基材の両面に粘着剤層が設けられた両面粘着テープを備え、長手方向の中心に非延伸性の基材からなる非延伸層が粘着剤層を介して固定され、使用時に長手方向に引っ張ることにより延伸させて塑性変形部を形成し、塑性変形部は非延伸層の両脇に形成されるようにしたものである。
【００３７】
これによって、延伸した両面粘着テープを奥二重のひだに沿ってひだの内部に入り込ませて貼付することにより、両面粘着テープの長手方向の中心に設けられた非延伸層によって奥二重での覆い被さった瞼を持ち上げながら支えることができる。
【００３８】
図１（ａ）は、二重瞼形成用テープの構成を示す長手方向に沿って切断した断面図、図１（ｂ）は、二重瞼形成用テープの平面図である。図１（ａ）に示すように、二重瞼形成用テープ１は、細長の基材４の両面に粘着剤層５、６が設けられた両面粘着テープ３と、粘着剤層５を覆う粘着面保護基材２５とを備えている。両面粘着テープ３の基材として、ポリエチレン４が好適であり、ポリエチレン４の両面に粘着剤層５、６が塗布されている。
【００３９】
また、両面粘着テープ３の片面の粘着剤層６における長手方向の中心に、非延伸性の基材からなる非延伸層１５が粘着剤層６を介して積層されて剥離不能に固定されている。非延伸層１５の基材として、非延伸性を有するポリエステル１６が好適で有り、ポリエステル１６は、粘着剤層６を介して両面粘着テープ３の一方の面と密着している。また、非延伸層１５の基材としてのポリエステル１６は、両面粘着テープ３側と反対の表面に粘着剤層１７が塗布されている。
【００４０】
また、二重瞼形成用テープ1の両面粘着テープ３は、長手方向の両端部に非粘着性の把持部層１８が粘着剤層６を介して固定されている。また、図１（ｃ）に示すように、両面粘着テープ３は、粘着剤層６及び非延伸層１５の粘着剤層１７とを介して剥離可能な状態で密着する粘着面保護シート２０上に複数載置されている。
【００４１】
以下に、二重瞼形成用テープ1を構成する部材について説明する。
【００４２】
両面粘着テープ３における基材の材質は、ポリエチレン４が好適である。ポリエチレン４は、密度範囲によって、高密度ポリエチレン、中密度ポリエチレン、低密度ポリエチレンに分類される。これらの内、低密度ポリエチレンが最も好適である。
【００４３】
高密度ポリエチレン及び中密度ポリエチレンを用いた場合には装着感にゴロゴロ感が出てしまうのに対し、低密度ポリエチレンは、延伸性に優れ、延伸後は塑性変形状態を保持することができ、このため、低密度ポリエチレンを用いることにより非常に優れたフィット感を得ることができる。
【００４４】
尚、基材４としての材質は、ポリエチレン以外に、ポリウレタン、レーヨン不織布であってもよい。
【００４５】
両面粘着テープ３等に用いる粘着剤層５、６、１７における粘着成分は、下記の性質を備えることが好適である。第１に、基材に引張力が印加されて基材が引っ張られた際に、粘着剤層は追従して伸びる粘弾性を有する必要がある。第２に、使用時における瞼への付着適合性と、油脂、汗及び涙への耐付着低減性（持続性）を有することである。
【００４６】
このような性質を有する粘着性の材質として、ポリエチレンが好適である。基材４がポリエチレンである場合には、アクリル系粘着剤を主成分とし、その他の成分として粘着付与剤を含有する粘着成分が好適である。
【００４７】
アクリル系粘着剤は、アクリル酸、アクリル酸メチル、アクリル酸エチル、アクリル酸ブチル、アクリル酸２-エチルヘキシル、アクリル酸イソブチル、アクリル酸イソオクチルなどを構成モノマーとしたものである。また、アクリル系以外の粘着剤では、シリコーン系粘着剤であってもよい。
【００４８】
両面粘着テープ３に用いる粘着成分（粘着成分層）の厚さは、前述した性質に影響を与えるため、性質を満たすように選定する。そのため、粘着成分の厚さは、好適には１０〜１５０μｍであり、より好適には１５〜１００μｍであり、特に好適には２０〜５０μｍである。
【００４９】
また、基材及び粘着成分とを合わせた両面粘着テープ３の厚さは、前述した性質を与えるため、性質を満たすように選定する。そのため、両面粘着テープ３の厚さは、好適には１０〜２５０μｍであり、より好適には２０〜１５０μｍであり、特に好適には２５〜９０μｍである。
【００５０】
例えば、基材としてのポリエチレン４の厚さが、７５μｍを用いた両面粘着テープ３の厚さは、１６０μｍである。
【００５１】
図１（ａ）及び（ｂ）に示すように、非延伸層１５としてのポリエステル１６は、両面粘着テープ３の長手方向の中心に短辺の形状を成し、粘着剤層６を介して両面粘着テープ３の表面を覆い、両面粘着テープ３の幅と同一の寸法で貼付されている。ポリエステル１６は、硬く伸びにくい非延伸性の特性を有している。
【００５２】
また、非延伸層１５は、両面粘着テープ３側と反対側の表面が粘着剤層１７を介して粘着面保護シート２０に覆われている。
【００５３】
このように、ポリエステル１６は、粘着面保護シート２０間に設けられた粘着剤層１７とにより非延伸層１５を形成している。
【００５４】
非延伸層１５に用いる粘着成分（粘着成分層）の厚さは、前述した性質に影響を与えるため、性質を満たすように選定する。そのため、粘着成分の厚さは、好適には１０〜１５０μｍであり、より好適には１５〜１００μｍであり、特に好適には２０〜５０μｍである。
【００５５】
また、基材であるポリエステル１６及び粘着成分とを合わせた非延伸層１５の厚さは、前述した性質を与えるため、性質を満たすように選定する。そのため、非延伸層１５の厚さは、好適には３〜１２０μｍであり、より好適には５〜７５μｍであり、特に好適には１０〜３０μｍである。
【００５６】
例えば、ポリエステル１６の厚さが、２３μｍを用いた非延伸層１５の厚さは、９０μｍである。
【００５７】
また、収縮を防止するための非延伸性を有する材質は、ポリエステル１６以外に、不織布片面テープ、ＯＰＰ（オリエンテッドポリプロピレン）片面テープであってもよい。
【００５８】
尚、両面粘着テープ３を延伸後に非延伸層１５の両脇に形成される塑性変形部１０及び非延伸層１５の作用等の詳細は後述する。
【００５９】
図１（ａ）に示すように、粘着面保護基材２５としての剥離紙２６は、粘着剤層５を汚れ等から保護するものである。二重瞼形成用テープ１を使用する際には、剥離紙２６から両面粘着テープ３を剥がすようにする。
【００６０】
また、図１（ａ）に示すように、粘着面保護シート２０としての剥離紙２１は、非延伸層１５の粘着剤層１７を汚れ等から保護するものである。剥離紙２１の表面には、縦横それぞれの間隔で配列された多数の二重瞼形成用テープ１が粘着剤層１７を介して貼着されている。また、二重瞼形成用テープ１を使用する際には、剥離紙２１から二重瞼形成用テープ１の非延伸層１５を剥がすようにする。
【００６１】
粘着面保護シート２０の剥離紙２１及び粘着面保護基材２５の剥離紙２６の材質は、
ＦＥＰ（フッ化エチレンプロピレン）、ＰＴＦＥ（ポリテトラフルオロエチレン）、ＰＶＦ（ポリビニルフロライド）、ＥＣＴＦＥ（クロロトリフルオロエチレンーエチル共重合体）、紙、プラスチックフィルムの片面、両面にシリコーンやフッ素樹脂などを塗布した剥離処理剤のいずれかであってもよい。
【００６２】
また、粘着面保護シート２０の剥離紙２１及び粘着面保護基材２５の剥離紙２６の厚さは、好適には０．１〜０．５０μｍであり、より好適には０．３〜２５μｍであり、特に好適には０．５〜１０μｍである。
【００６３】
更に、粘着面保護基材２５としての剥離紙２６の表面（両面粘着テープ３と接触する面）には、両面粘着テープ３の粘着剤層５と干渉し難くなるような鏡面加工等の表面加工を施すことが好適である。剥離紙２６の表面を平滑となるよう加工することで、剥離紙２６を両面粘着テープ３から容易に剥がことができる。
【００６４】
このように、両面粘着テープ３と粘着面保護基材２５との密着力は、両面粘着テープ３と非延伸層１５との間の粘着剤層６を介した密着力よりも弱くなっている。
【００６５】
また、粘着面保護シート２０としての剥離紙２１の表面（非延伸層１５と接触する面）は、非延伸層１５の粘着剤層１７と干渉し難くなるような鏡面加工等の表面加工を施すことが好適である。剥離紙２１の表面を平滑となるよう加工することで、剥離紙２１を非延伸層１５から容易に剥がすことができる。
【００６６】
このように、非延伸層１５と粘着面保護シート２０との密着力は、両面粘着テープ３と非延伸層１５との間の粘着剤層６を介した密着力よりも弱くなっている。
【００６７】
図１（ａ）に示すように、二重瞼形成用テープ1の両端に位置する非粘着性の把持部層１８は、両面粘着テープ３の長手方向の両端部に粘着剤層６を介して固定されている。両面粘着テープ３の長手方向の両端部に設けられた把持部層１８は、二重瞼形成用テープ1を使用する際に、指で把持して、左右に引き延ばされる。両面粘着テープ３を長手方向に引っ張ることにより延伸させて非延伸層１５の両脇に塑性変形部１０が形成される。
【００６８】
把持部層１８の材質は、合成樹脂フィルムであり、剥離処理が施されていない所定の強度を有する合成樹脂からなる。
【００６９】
また、把持部層１８の厚さは、好適には０．１〜０．５０μｍであり、より好適には０．３〜２５μｍであり、特に好適には０．５〜１０μｍである。
【００７０】
次に、図１（ｂ）を用いて、二重瞼形成用テープ1の延伸前の大きさを説明する。図１（ｂ）に示すように、二重瞼形成用テープ1の長手方向の把持部層１８を除いた長さＬ１は、例えば、３０ｍｍであり、二重瞼形成用テープ1の長手方向の長さは、２５から３５ｍｍが好適である。
【００７１】
また、図１（ｂ）に示すように、二重瞼形成用テープ1の非延伸層１５の長さＬ２は、例えば、二重瞼形成用テープ1の長手方向の長さＬ１が３０ｍｍの場合には、２３ｍｍである。非延伸層１５の長さは、目の横方向の長さよりも、短くなるように設定する。
【００７２】
また、図１（ｂ）に示すように、二重瞼形成用テープ1の幅Ｗは、１．２から２．０ｍｍが好適である。二重瞼形成用テープ1の幅が狭すぎると、二重瞼形成用テープ1の粘着面が面積が少なくなり、十分な密着力及び上瞼を支える十分な保持力が得られないことがある。一方、二重瞼形成用テープ1の幅が広すぎると、装着時に違和感を覚える恐れがある。
【００７３】
また、図１（ｂ）に示すように、二重瞼形成用テープ1の把持部層１８の長さＬ３は、例えば、１３ｍｍが好適である。
【００７４】
また、図１（ｂ）に示すように、二重瞼形成用テープ1を貼付した粘着面保護シート２０としての剥離紙２１の長さＬ４は、５６ｍｍであり、粘着面保護シート２０の幅は、二重瞼形成用テープ1の幅Ｗ以上となるように設定する。一方、図１（ｃ）に示すように、粘着面保護シート２０上に複数の二重瞼形成用テープ1が載置されている場合には、例えば、図１（ｃ）では、粘着面保護シート２０の長さを２×Ｌ４、幅を１２×Ｗ以上となるように設定する。
【００７５】
尚、図１（ｂ）に示した二重瞼形成用テープ1の延伸前の大きさは、一例であり、これに限定するものではない。
【００７６】
また、図１に示す二重瞼形成用テープ1は、非延伸層１５を両面粘着テープ３の片面に設けた実施形態を説明したが、非延伸層１５を両面粘着テープ３の両面に設けることも可能である。
【００７７】
次に、図２を用いて、二重瞼形成用テープの延伸前後の状態について説明を行う。図２（ａ）は、延伸前の二重瞼形成用テープの状態を示す平面図、図２（ｂ）は、延伸後の二重瞼形成用テープの状態を示す平面図である。
【００７８】
例えば、図２（ａ）に示す延伸前の二重瞼形成用テープ1における両面粘着テープ３の長手方向の長さＬ１（図１（ｂ）に示す）は、例えば、３０ｍｍであり、両面粘着テープ３の非延伸層１５の長さＬ２（図１（ｂ）に示す）は、例えば、２３ｍｍである。
【００７９】
次に、図２（ａ）に示す把持部層１８を指で把持して、左右に引き延ばす。図２（ｂ）に示すように、非延伸層１５（ポリエステル１６）の両脇のポリエチレン４を数倍に引き延ばすことにより、塑性変形部１０が形成される。
【００８０】
このとき、ポリエステル１６からなる非延伸層１５は、延伸することなく延伸前の長さＬ２である２３ｍｍを保っている。また、ポリエチレン４における非延伸層１５を粘着剤層６を介して固定した箇所は、引き延ばされることなく、延伸前の状態を保持している。
【００８１】
これにより、ポリエチレン４による塑性変形部１０は、非延伸層１５と把持部層１８との間で均等に形成されている。
【００８２】
このように、二重瞼形成用テープ１は、基材としてのポリエチレン４の両面に粘着剤層が塗布されており、ポリエチレン４の長手方向の中心に非延伸層１５としてのポリエステル１６の短片が貼り付けられて固定されている構造となっている。
【００８３】
次に、二重瞼形成用テープの使用方法及び延伸後の二重瞼形成用テープの状態について図３を用いて説明する。図３は、二重瞼形成用テープの使用方法を説明する図である。
【００８４】
最初に、剥離紙２６を両面粘着テープ３から剥がす。次に、把持部層１８を摘まんで、両面粘着テープ３を粘着面保護シート２０の剥離紙２１から剥がす。次に、図３（ａ）に示すように、把持部層１８を摘まんで、把持部層１８を長手方向に引っ張ることにより両面粘着テープを左右に延伸させる。図３（ｂ）に示すように、両面粘着テープを延伸させることにより、非延伸層１５の両脇に塑性変形部１０が形成される。
【００８５】
次に、図３（ｃ）に示すように、二重瞼形成用テープ1の両端に位置する把持部層１８を持って、二重瞼形成用テープ1をピンと張った状態で、目の形状に合わせながら、非延伸層１５のポリエステル１６が奥二重の中央に押し当てて貼り付けて固定する。また、引き伸ばした両面粘着テープの塑性変形部１０を奥二重にくい込ませるようにする。このとき、二重の上瞼をポリエステル１６と接するように、また、二重の下瞼をポリエチレン４と接するように整える。
【００８６】
その後、図３（ｄ）に示すように、瞼に二重瞼形成用テープ1の塑性変形部１０を固定後、両端の余った塑性変形部１０を含む把持部層１８をハサミ等で切除する。切断後、塑性変形部１０のポリエチレン４を奥二重内に収納するようにする。尚、両面粘着テープ３を奥二重に貼付する際には、目に近い皮膚側に、ポリエチレン４側が位置するようにして貼り付ける。
【００８７】
このとき、奥二重の上瞼を非延伸層１５としてのポリエステル１６で支えるようにして、非延伸層１５の反対側の面のポリエチレン４を奥二重の下瞼に貼り付けて使用する。
【００８８】
本発明による二重瞼形成用テープ1は、両面粘着テープ３を長手方向に引っ張ることにより延伸させて塑性変形部を形成し、延伸した両面粘着テープの非延伸層を奥二重のひだに沿って当該ひだの内部に入り込ませて貼付するため、スティックや、プッシャー等の治具等を必要としない。
【００８９】
上述したように、両面粘着テープ３の使用時には、両面粘着テープ３の長手方向の両端に位置する非粘着性の把持部層１８を指で挟んで、長手方向に引っ張ることにより、塑性変形部１０が非延伸層１５の両脇に形成される。二重瞼形成用テープ１における非延伸層１５及ぶ塑性変形部１０とを瞼に貼付する
【００９０】
次に、延伸した二重瞼形成用テープを奥二重に装着した状態について図４及び図５を用いて説明する
【００９１】
図４は、延伸した二重瞼形成用テープを奥二重に装着した状態を説明する断面図であり、図４（ａ）は、両面粘着テープにポリエステルのみを使用した二重瞼形成用テープを奥二重に装着した状態を示す断面図、図４（ｂ）は、両面粘着テープにポリエチレンを使用し、非延伸層であるポリエステルが粘着剤層を介して中心に固定された二重瞼形成用テープを延伸した後の奥二重に装着した状態を示す断面図である。
【００９２】
図４（ａ）に示すように、両面粘着テープにポリエステル７０のみを使用した二重瞼形成用テープは、瞼５１の奥二重５２の曲線に沿って貼着するため、硬い材質であるポリエステル７０の両端が復元力によって使用中に浮いてきて剥がれる恐れがある。
【００９３】
一方、図４（ｂ）に示すように、両面粘着テープ３にポリエチレン４を使用し、非延伸層１５であるポリエステル１６が粘着剤層を介して中心に固定された二重瞼形成用テープ１は、ポリエステル１６の復元力をポリエチレン４全体で吸収するように作用する。
【００９４】
そのため、柔らかいポリエチレン４が瞼５１の奥二重５２に密着することにより、両面粘着テープ３にポリエステル７０のみを使用した二重瞼形成用テープのように、使用中に両端が浮いてきて剥がれることがなく、長時間装着して使用することが可能である。
【００９５】
更に、非延伸層１５の両脇の塑性変形部１０を奥二重にくい込ませているため、塑性変形部１０によるポリエステル７０の両端の保持（固定）によってポリエステル７０の両端が復元力によって使用中に浮いてきて剥がれることがより防止される。
【００９６】
図５は、従来の二重瞼形成用テープと本発明の二重瞼形成用テープとの瞼の装着状態を比較を説明する図であり、図５（ａ）は、ポリエステルを使用した従来の二重瞼形成用テープによる瞼の装着状態を示す図であり、図５（ｂ）は、本発明の二重瞼形成用テープによる瞼の装着状態を示す図である。
【００９７】
図５（ａ）に示すように、ポリエステル７０を使用した従来の二重瞼形成用テープは、圧縮強度が高いポリエステル７０を使用しているため、覆い被さる瞼を支えることができる。図５（ａ）に示すように、目５０の横方向の長さＬｅは、例えば、２６ｍｍである。しかしながら、目５０の横の長さと同じ長さの硬いポリエステル７０を貼り付けるために、瞼、特に、目の両端部分に違和感を感じてしまうことがある。
【００９８】
医学雑誌、臨床眼科の１９７４年５月号の臨床報告に「日本人の眼瞼の形態および上眼瞼挙筋機能」と題する眼瞼の形態の調査報告が記載されている。「日本人の眼瞼の形態および上眼瞼挙筋機能」によれば、日本人の目の横径は、１６才以上の男女とも２６ｍｍ前後と報告されている。
【００９９】
図５（ｂ）に示すように、本発明の二重瞼形成用テープは、両面粘着テープ３のポリエチレン４と非延伸層１５のポリエステル１６とが固定されている。上記調査報告を基に、非延伸層１５の長手方向の長さＬ２は、２３ｍｍとして、目５０の横方向の長さＬｅの２６ｍｍ以下となっている。
【０１００】
このように、調査報告を基に非延伸層１５の長手方向の長さＬ２を２３ｍｍと定めたことにより、不快に感じるポリエステルの大きさを小さくすることができるため、瞼の違和感を和らげる効果を得ることが可能となる。また、奥二重での覆い被さる瞼を支えることができる。さらに、柔軟な素材であるポリエチレンを左右に設けることにより、個々に相違する目の形状（瞼の形状）に合わせて、貼り方を変更し、自然で綺麗な二重瞼を形成することが可能である。
【０１０１】
また、ポリエステル１６と瞼５１との間に、柔軟な素材であるポリエチレン４を介在させることにより、ポリエステル１６の復元作用を緩和することが可能となる。
【０１０２】
このように、両面粘着テープ３のポリエチレン４と非延伸層１５のポリエステル１６とは、粘着剤層６を介して固定されており、両面粘着テープ３のポリエチレン４と非延伸層１５のポリエステル１６の密着力は、大きなものとなっている。これにより、ポリエステル１６に覆われたポリエチレン４の箇所は、ポリエステル１６と一体となって、非延伸層１５を形成する。
【０１０３】
非延伸層１５の長手方向の長さは、目５０の横方向の長さ以下となっている。これにより、不快に感じるポリエステルの大きさを小さくすることが可能である。また、奥二重での覆い被さる瞼を支えることができる。
【０１０４】
以上述べた二重瞼形成用テープは、細長のポリエチレン４の両面に粘着剤層が設けられた両面粘着テープ３と、両面粘着テープ３の長手方向の中心に粘着剤層を介して固定された非延伸層としてのポリエステル１６とを備え、使用時に長手方向に引っ張ることにより塑性変形部１０を形成し、延伸した両面粘着テープ３を奥二重のひだに沿って当該ひだの内部に入り込ませて貼付するようにしたものである。
【０１０５】
また、本発明の二重瞼形成用テープ１は、細長のポリエチレン４の両面に粘着剤層が設けられた両面粘着テープ３を長手方向に引っ張ることにより延伸させて塑性変形部１０を形成し、両面粘着テープ３は、長手方向の中心に非延伸層としてのポリエステル１６が粘着剤層を介して固定され、塑性変形部１０は非延伸層１５の両脇に形成され、非延伸層１５のポリエステル１６が奥二重の中央に押し当てて貼り付けて固定する。また、引き伸ばした両面粘着テープの塑性変形部１０を奥二重にくい込ませるようにする。これにより、奥二重の覆い被さった瞼を持ち上げて長時間使用することが可能となる。
【０１０６】
また、本発明の二重瞼形成用テープは、細長の基材の両面に粘着剤層が設けられた両面粘着テープを長手方向に引っ張ることにより延伸させてより細い塑性変形部を形成し、延伸した両面粘着テープを奥二重のひだに沿って当該ひだの内部に入り込ませて貼付することにより、目尻、目頭など目の両端部分は、より細い塑性変形部によって細い二重線（重瞼線）が形成することが可能となる。
【０１０７】
以上、両面粘着テープ及び非延伸層の粘着剤層を保護する粘着面保護シート及び粘着面保護基材を剥離紙を使用した二重瞼形成用テープについて述べたが、以下に、剥離紙に代えて、シリコーンゴムを使用した二重瞼形成用テープについて図６を用いて説明する。
【０１０８】
図６は、両面粘着テープの粘着剤層を保護する粘着面保護基材としてのシリコーンゴムを使用した二重瞼形成用テープの構成を示す長手方向の断面図である。
【０１０９】
図６に示すように、シリコーンゴムを使用した二重瞼形成用テープ４０は、細長の基材の両面に粘着剤層が設けられた両面粘着テープ３と、両面粘着テープの長手方向の中心に固定された非延伸層１５としてのポリエステル１６とを備え、非延伸層１５としてのポリエステル１６は、両面粘着テープ３側と反対の表面に粘着剤層１７が設けられている。また、両面粘着テープ３は、粘着剤層６及び非延伸層１５の粘着剤層１７とを介して剥離可能な状態で密着する粘着面保護基材２７としてのシリコーンゴム２８が貼着されている。
【０１１０】
また、粘着面保護基材２７としてのシリコーンゴム２９は、両面粘着テープ３の他方の面の粘着剤層５側に剥離可能な状態で貼着されている。
【０１１１】
このように、粘着面保護基材２７としてのシリコーンゴム２８、２９は、二重瞼形成用テープ1の表面及び裏面の全面に剥離可能な状態で貼着されている。
【０１１２】
図６に示すように、二重瞼形成用テープの裏表の両面に貼着されたシリコーンゴム２９は、延伸時の把持する箇所となり、把持部（図示せず）を形成する。シリコーンゴム２９は、中央に張りによって破断する破断部３０を有している。破断部３０は、粘着剤層５、６、７側の幅方向に設けられた切断溝３１によって形成されている。
【０１１３】
図６に示されるように、粘着面保護基材２７に凹形状を成す破断部３０を設けて、両面粘着テープ３を延伸した際には容易に分断するようにすることが好適である。
【０１１４】
更に、粘着面保護基材としてのシリコーンゴム２９の表面（両面粘着テープ３と接触する面）には、両面粘着テープ３の粘着面と干渉し難くなるような鏡面加工等の表面加工を施すことが好適である。シリコーンゴム２８、２９の表面を平滑となるよう加工することで、シリコーンゴム２９を両面粘着テープ３から容易に剥がことができる。
【０１１５】
両面粘着テープ３を延伸させる際に、粘着面保護基材２７が剥離して両面粘着テープ３に負荷をかけずに伸長できるため、両面粘着テープ３の破断を防ぐことが可能となる。このように、両面粘着テープ３と粘着面保護基材２７との密着力は、両面粘着テープ３と非延伸層１５との間の粘着剤層を介した密着力よりも弱くなっている。
【０１１６】
また、粘着面保護基材２７の他の表面は、シボ仕上（細かい凹凸加工）が施されており、指先によって両面粘着テープ３の両端を延伸する際に、滑りを減らすようにする。
【０１１７】
シリコーンゴム２９の中央に設けられている破断部３０における切断溝の深さは、シリコーンゴム２９の厚さの２／３以上を有するようにする。シリコーンゴム２９の中央に破断部３０を設けることにより、両面粘着テープ３の延伸時にシリコーンゴム２９の中央部が破断して、容易に塑性変形部１０（図４に示す）を形成することができる。
【０１１８】
尚、粘着面保護基材２７は、シリコーンゴム２９に限らず他の部材を使用するようにしてもよい。例えば、シリコーン加工を施したフィルム、あるいはシリコーン樹脂をペーパー状にしたシリコーンペーパーを用いるようにしてもよい。
【０１１９】
次に、粘着面保護基材としてシリコーンゴムを使用した二重瞼形成用テープの使用方法について図７を用いて説明する。図７は、粘着面保護基材としてシリコーンゴムを使用した二重瞼形成用テープの使用方法を説明する図である。
【０１２０】
二重瞼形成用テープは、使用時に長手方向に引っ張ることにより粘着面保護基材２７を分断して両面粘着テープ３の両端を延伸させて非延伸層の両脇に塑性変形部を形成し、非延伸層及び塑性変形部１０を瞼に貼付する。
【０１２１】
図７（ａ）に示すように、最初に、粘着面保護基材２７としてのシリコーンゴム２８、２９の両端を摘み、二重瞼形成用テープ４０全体を左右に延伸させる。図７（ｂ）に示すように、テープ状部材は引っ張りにより長手方向中央の破断部３０付近から延び始め、左右両側に引っ張られるにつれて非延伸層１５の両脇の両面粘着テープ３も順次延びていき、非延伸層１５の両脇に塑性変形部１０が形成される。
【０１２２】
次に、図７（ｃ）に示すように、二重瞼形成用テープ４０の両端を持って、二重瞼形成用テープ４０をピンと張った状態で、目の形状に合わせながら、非延伸層１５のポリエステル１６が奥二重の中央に押し当てて貼り付けて固定する。また、引き伸ばした両面粘着テープの塑性変形部１０を奥二重にくい込ませるようにする。このとき、二重の上瞼をポリエステル１６と接するように、また、二重の下瞼をポリエチレン４と接するように整える。
【０１２３】
次に、図７（ｄ）に示すように、瞼に二重瞼形成用テープ４０の塑性変形部１０を固定後、両端の余った塑性変形部１０を含むシリコーンゴム２８、２９をハサミ等で切除する。切断後、塑性変形部１０のポリエチレン４を奥二重内に収納するようにする。尚、両面粘着テープ３を奥二重に貼付する際には、目に近い皮膚側に、ポリエチレン４側が位置するようにして貼り付ける。
【０１２４】
このとき、奥二重の上瞼を非延伸層１５としてのポリエステル１６で支えるようにして、非延伸層１５の反対側の面のポリエチレン４を奥二重の下瞼に貼り付けて使用する。
【０１２５】
このように、粘着面保護基材としてシリコーンゴムを使用した二重瞼形成用テープ４０は、使用時に長手方向に引っ張ることにより、シリコーンゴムが中央から分離し、非延伸層の両脇に塑性変形部１０を形成することができるため、簡単に使用することができる。
【０１２６】
以上述べたように、二重瞼形成用テープ４０は、長手方向に引っ張ることにより延伸させて塑性変形部を形成する両面粘着テープは、細長のポリエチレン４の両面に粘着剤層が設けられ、粘着剤層を剥離可能な状態で覆う粘着面保護基材とをさらに備え、使用時に当該粘着面保護基材を介して長手方向に引っ張ることにより当該粘着面保護基材を分断して両面粘着テープを延伸させて使用する。
【０１２７】
これにより、二重瞼形成用テープでは、厚い瞼、腫れぼったい瞼、奥二重瞼等の重量のある瞼（重い瞼）等を支えることができる。また、長時間瞼から剥離することがない。
【０１２８】
以上述べたように、本発明によれば、基材の両面に粘着剤層が設けられた両面粘着テープを備え、使用時に長手方向に引っ張って中央に両面粘着テープのみからなる塑性変形部を形成し、両面粘着テープは、長手方向の中心に非延伸性の基材からなる非延伸層が粘着剤層を介して固定され、延伸した両面粘着テープを奥二重のひだに沿って当該ひだの内部に入り込ませて貼付することにより、非延伸層によって奥二重での覆い被さった瞼を持ち上げながら支えることができる。
【０１２９】
また、本発明の二重瞼形成用テープは、両面粘着テープの柔軟な素材であるポリエチレンによって、貼り合わせた非延伸層のポリエステルの復元作用を緩和することが可能となり、両面粘着テープにポリエステルのみを使用した二重瞼形成用テープのように、使用中に両端が浮いてきて剥がれることがなく、長時間装着して使用することが可能である。
【０１３０】
更に、非延伸層の両脇の塑性変形部を奥二重にくい込ませているため、塑性変形部によるポリエステル両端の保持（固定）によってポリエステルの両端が復元力によって使用中に浮いてきて剥がれることがより防止される。
【０１３１】
また、本発明の二重瞼形成用テープは、細長の基材の両面に粘着剤層が設けられた両面粘着テープを長手方向に引っ張ることにより延伸させてより細い塑性変形部を形成し、延伸した両面粘着テープを奥二重のひだに沿って当該ひだの内部に入り込ませて貼付することにより、目尻、目頭など目の両端部分は、より細い塑性変形部によって細い二重線（重瞼線）が形成することが可能となり、目の両端部分の細い二重線により自然な印象を醸し出すことができる。
【０１３２】
また、本発明の二重瞼形成用テープは、不快に感じるポリエステルの大きさを小さくすることが可能であるため、瞼の違和感を和らげることが可能である。さらに、柔軟な素材であるポリエチレンを左右に設けることにより、個々に相違する目の形状（瞼の形状）に合わせて、貼り方を変更し、自然で綺麗な二重瞼を形成することが可能である。
【０１３３】
また、本発明の二重瞼形成用テープは、両面粘着テープの長手方向の両端部に非粘着性の把持部層が粘着剤層を介して固定されているため、把持部層によって粘着面保護シートから容易に取り外すことができ、更に、両面粘着テープを長手方向に引っ張って塑性変形部を確実に形成することができる。
【０１３４】
また、本発明は、両面粘着テープを長手方向に引っ張ることにより延伸させて塑性変形部を形成し、延伸した両面粘着テープの非延伸層を奥二重のひだに沿って当該ひだの内部に入り込ませて貼付するため、スティックや、プッシャー等の治具等を必要としない。
【０１３５】
また、本発明の二重瞼形成用テープは、粘着剤層を剥離可能な状態で覆うシルコーンゴムからなる粘着面保護基材とをさらに備え、使用時に粘着面保護基材を介して長手方向に引っ張ることにより粘着面保護基材を分断することができるため、容易に使用することができる。
【０１３６】
以下に、出願人による先行技術調査において発見された先行技術文献と本発明との対比を説明する。
【０１３７】
特許文献１（特許第３２７７１８０号公報）、特許文献２（特開２０１２−２２３２５０号公報）、特許文献３（特開２０１４−５４５１９号公報）には、目立たないことを目的とした二重瞼形成テープで、概ね、瞼への貼付時にテープの細さが０．４ｍｍから１．０ｍｍである。これらのものは、その細さを利用して瞼にくい込ませ目立たない自然な二重線（重瞼線）を形成することが可能である。
【０１３８】
即ち、延伸可能でその延伸後にも弾性的収縮性を有する基材片から成り、例えば、基材片が伸長させた状態で瞼に貼り付け、基材片の弾性的な伸縮性を利用したものである。
【０１３９】
また、特許文献４（実登３１１９１６２号公報）、特許文献５（実登３１５４１３９号公報）の二重瞼形成用テープは、幅１．５ｍｍから２．０ｍｍ程度で硬い素材（ポリエステルやポリプロピレン）を使用したものである。
【０１４０】
本発明は、ポリエチレン等の細長の基材の両面に粘着剤層が設けられた両面粘着テープを備え、両面粘着テープは、少なくとも片面において、長手方向の中心に非延伸性の基材からなる非延伸層が粘着剤層を介して固定され、使用時に両面粘着テープを長手方向に引っ張って塑性変形部を形成し、塑性変形部は非延伸層の両脇に形成して、延伸した両面粘着テープを奥二重のひだに沿って当該ひだの内部に入り込ませて貼付するようにしたものである。
【０１４１】
特許文献１から特許文献３に開示された二重瞼形成用テープの幅は、０．４ｍｍから１．０ｍｍと細いため、被さった瞼を持ち上げることができないため、奥二重に対しては、不向きである。即ち、二重線が隠れていて、外部から見えにくくなっている状態であり、奥二重では、被さった瞼を持ち上げることができない。
【０１４２】
本発明は、両面粘着テープの長手方向の中心に非延伸性の非延伸層を設けたことにより、奥二重での覆い被さった瞼を持ち上げながら支えることができ、更に、目尻、目頭など目の両端部分は、細い二重線（重瞼線）が形成することが可能である。
【０１４３】
また、特許文献４、特許文献５の二重瞼形成用テープは、幅の広い硬い素材（ポリエステルやポリプロピレン）を使用したものである。しかしながら、特許文献４、特許文献５の部材は、硬い素材を使用しているであるため、まばたき等による形状の変形ができない恐れがある。
【０１４４】
また、両面粘着テープの基材にポリエステル等の硬い素材のみを使用した二重瞼形成用テープは、装着して使用中に、復元力により両端が浮いてきて、剥がれる恐れがある。
【０１４５】
本発明は、使用時に長手方向に引っ張ることによりポリエチレンを延伸させて、非延伸性の基非延伸層の両脇にポリエチレンのみからなる塑性変形部を形成し、塑性変形部を瞼に貼付するため、瞼に違和感を与えず、長時間高密着することができる。
【０１４６】
本発明は、ポリエチレン等の細長の基材の両面に粘着剤層が設けられた両面粘着テープを備え、両面粘着テープを長手方向に引っ張ることにより延伸させて塑性変形部を形成し、両面粘着テープは、長手方向の中心に非延伸性の基材からなる非延伸層が粘着剤層を介して固定され、塑性変形部は非延伸層の両脇に形成されて、延伸した両面粘着テープを奥二重のひだに沿って当該ひだの内部に入り込ませて貼付することにより覆い被さった瞼を持ち上げて使用する奥二重に用いるものである。
【０１４７】
このように本発明の二重瞼形成用テープは、硬い素材のみを使用していないため、奥二重に対して瞼に違和感を与えることなしに、長時間使用することが可能であり、先行技術文献にはない特徴を有している。
【０１４８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１４９】
１、４０      二重瞼形成用テープ
３      両面粘着テープ
４      基材（ポリエチレン）
５、６、１７  粘着剤層
１０    塑性変形部
１５    非延伸層
１６、７０  基材（ポリエステル）
１８    把持部層
２０    粘着面保護シート
２１    剥離紙
２５、２７    粘着面保護基材  
２６    剥離紙
２８、２９    シリコーンゴム
３０    破断部
３１    切断溝
３５    把持部層  
５０    目
５１    瞼
５２    奥二重
【図１】
2017209461.tif 000003
【図２】
2017209461.tif 000004
【図３】
2017209461.tif 000005
【図４】
2017209461.tif 000006
【図５】
2017209461.tif 000007
【図６】
2017209461.tif 000008
【図７】
2017209461.tif 000009